Podtech/llm-jp-corpus-v4-ja_patent huggingface dataset:
(57)【要約】      （修正有）【課題】機械加工の自動化のためにパーツフィーダにおいて、パーツの量によって振動を変化させ最適な振動で製品を確実に整列供給させるパーツフィーダの振動可変装置を提供する。【解決手段】振動して製品が皿の中を回転しながら昇っていくパーツフィーダにおいて、スイッチ３はパーツフィーダの乗っている台に固定され、パーツフィーダの皿２の中にスイッチ３の先端を挿入する。パーツフィーダの皿内に製品の量が多いときに製品に接触してスイッチ３が動作せずに最初に設定された振動でパーツフィーダが振動する。また、製品が少なくなると製品がスイッチ３に接触しないためスイッチ３がＯＮしてコントローラ５が働きコントローラで設定された振動の強さに切り替わるようにして、パーツフィーダの可変装置を構成する。【選択図】図１
0003169274.tif 000002
【実用新案登録請求の範囲】
【請求項１】
パーツフィーダに入れられた製品の量に応じてパーツフィーダの振動を変化させる機構
【考案の詳細な説明】
【考案の詳細説明】
【考案に属する技術分野】
【０００１】本考案は部品の整列供給装置であるパーツフィーダ（写真１）の供給をスムーズに行う装置である。パーツフィーダの皿（符号２）の部分に製品を入れ機械に整列供給するが、製品を多く入れた時に振動が弱く皿の上をうまく昇っていかない。そこで振動の強弱の調整つまみ（符号４）を強にするが、製品が少なくなってくると振動が強すぎて皿の中で製品が踊ってしまいうまく製品を機械に供給出来なくなる。
本考案は皿の中の製品の量に応じて振動の強さを切替、量が多くても少なくなっても適切な振動でスムーズに製品を供給する装置の考案である。
【背景技術】
【０００２】従来振動の強さはつまみ（符号４）で調整するが、製品の量に関係ないものであった。
【考案が解決しようとする課題】
【０００３】皿の中の製品の量に応じてパーツフィーダの振動の強さが自動で切り替わり常に最適な振動で製品供給が出来るような機構が必要である。
【考案が解決するための手段】
【０００４】皿の中の製品の量を自動的に把握し、パーツフィーダの振動を自動的にコントロール（符号５）出来るようにする。
【実施例】
【０００５】パーツフィーダの皿（符号２）の中に製品をいれる。パーツフィーダは振動して製品が皿の中を回転しながら昇っていく時に、製品量が多い時にスイッチ（符号２）が働かないので最初に設定された振動でパーツフィーダが振動する。ワークが少なくなって来るとスイッチ（符号３）がＯＮされコントローラ（符号５）で設定された振動に切り替わる。これを実際に実機に取り付けて実施した。
【効果の確認】
【０００６】    テストの結果確実に振動の強弱が切り替わり、スムーズに製品が機械に挿入されていることを確認した。
【図面の簡単な説明】
【０００７】
【図１】符号３のスイッチ  正面図〔写真１〕  パーツフィーダ全体の写真〔写真２〕  パーツフィーダの皿（符号２）の中の写真  ワークの量感知スイッチ（符号３）の写真〔写真３〕  コントロールＢＯＸ（符号５）の写真
【符号の説明】
【０００８】１  パーツフィーダ  振動盤
２  パーツフィーダ  皿
３  量の感知スイッチ
４  パーツフィーダ制御盤（メーカ）
５  振動コントロールＢＯＸ（自社製）
６  近接スイッチ
0003169274.tif 000003
【手続補正書】
【提出日】平成23年1月14日(2011.1.14)
【手続補正１】
【補正対象書類名】実用新案登録請求の範囲
【補正対象項目名】全文
【補正方法】変更
【補正の内容】
【実用新案登録請求の範囲】
【請求項１】
パーツフィーダが振動して製品が皿の中を回転しながら昇っていく時に、製品量が多い時にスイッチ（符号２）が働かず最初に設定された振動でパーツフィーダが振動する。製品が少なくなって来るとスイッチ（符号３）がＯＮされコントローラ（符号５）が設定された振動に切り替えることを特徴とするパーツフィーダの振動可変装置。
【手続補正２】
【補正対象書類名】明細書
【補正対象項目名】０００７
【補正方法】変更
【補正の内容】
【０００７】
【図１】パーツフィーダ全体図
【図２】ワーク量の感知スイッチ図
【手続補正３】
【補正対象書類名】図面
【補正対象項目名】全図
【補正方法】変更
【補正の内容】
【図１】
0003169274.tif 000004
【図２】
0003169274.tif 000005
【手続補正書】
【提出日】平成23年4月28日(2011.4.28)
【手続補正１】
【補正対象書類名】実用新案登録請求の範囲
【補正対象項目名】全文
【補正方法】変更
【補正の内容】
【実用新案登録請求の範囲】
【請求項１】
パーツフィーダが振動して製品が皿の中を回転しながら昇っていく時において、
（１）「スイッチ（３）」はパーツフィーダの乗っている台に固定され
（２）パーツフィーダの「皿（２）」の中に「スイッチ（３）」の先端が挿入されており
（３）パーツフィーダの皿内に製品の量が多いときに製品に接触して「スイッチ（３）」が動作せずに最初に設定された振動でパーツフィーダが振動するが
（４）製品が少なくなると製品が「スイッチ（３）」に接触しないため「スイッチ（３）」がＯＮして「コントローラ（５）」が働きコントローラで設定された振動の強さに切り替わる事を特徴とするパーツフィーダの可変装置である。
(57)【要約】      （修正有）【課題】フレーム及びフレームの内側のシートの座面を特殊な曲面にした座り心地のよい椅子を提供する。【解決手段】椅子１は、椅子１は、人が着座する部分の全部を含めて特殊な曲面に一体成形されたフレーム２と、前記フレーム２の内側全面に、スポンジ等の緩衝材、シート用貼り地の順で固着され人が着座する座面を構成するシート３と、フレーム２の両側面全面（上側面から下側面）にわたって固定されている補強板４と、補強板４に固定されている脚５ａ，５ａ，５ｂ，５ｂとを備える。該曲面は、着座したときに、頭部、背部、腰部、臀部、太股部の全部が前記シートの前面の全体に全て接触するような曲面形状とする。また、前側脚５ａ，５ａは垂直に配置され、後側脚５ｂ，５ｂは後側に大きく斜めに突出して配置されている。【選択図】図２
0003169279.tif 000002
【実用新案登録請求の範囲】
【請求項１】
人が着座する座面の全部を含めて特殊な曲面に一体成形されたフレームと、
前記フレームの内側に、緩衝材、シート用貼り地の順で固着され人が着座する座面を構成するシートと、
前記フレームの下側に固定された脚とを備え、
前記フレーム及び前記シートは、特殊な曲面に構成されていて、人が前記シートの座面に着座したときに、頭部、背部、腰部、臀部、太股部の全部が前記シートの座面の全体に全て接触するような曲面形状に構成され、かつ、前側脚は垂直に配置され、後側脚は後側に大きく斜めに突出して配置されていることを特徴とする椅子。
【考案の詳細な説明】
【技術分野】
【０００１】  本考案は椅子の改良に係り、特にフレーム及びフレームの内側のシートの座面を特殊な曲面に構成し、かつフレームの下側に脚を固定してなる椅子に関する。
【背景技術】
【０００２】  従来の椅子は、方形の座席と、前記座席に対して一定角度を持たせて連接された背もたれと、前記座席の四隅であって前記座席の着座面とは反対側（下側）に延長固定された支持足と、背もたれの左右に固定され背もたれから延長され固定された手摺りとからなるものが知られている（特許文献１）。
【先行技術文献】
【０００３】
【特許文献】
【特許文献１】  実願２００７−６７５４号
【考案の概要】
【考案が解決しようとする課題】
【０００４】  しかしながら、従来の椅子では、座席と背もたれとが一定角度で連接されていたため、座席と背もたれの角度を変えたとしても、二つの面で体を支えることになることには変わりなく、座り心地がよいとはいえないものであった。
本考案は、上述した従来技術の不都合を解消し、座り心地のよい椅子を提供することを目的とする。
【課題を解決するための手段】
【０００５】  上記目的を達成するために、本考案に係る椅子は、人が着座する座面の全部を含めて特殊な曲面に一体成形されたフレームと、前記フレームの内側に、緩衝材、シート用貼り地の順で固着され人が着座する座面を構成するシートと、前記フレームの下側に固定された脚とを備え、前記フレーム及び前記シートは、特殊な曲面に構成されていて、人が前記シートの座面に着座したときに、頭部、背部、腰部、臀部、太股部の全部が前記シートの座面の全体に全て接触するような曲面形状に構成され、かつ、前側脚は垂直に配置され、後側脚は後側に大きく斜めに突出して配置されていることを特徴とするものである。
【考案の効果】
【０００６】  本考案によれば、シートの座面側が特殊な曲面に構成されていて、人が前記シートに着座したときに、頭部、背部、腰部、臀部、太股部の全部が前記シートの座面に全て接触しているような状態になるため、座り心地が非常によく、また、主な材料がフレームと脚とからなるため、材料費が少なくて済むという効果がある。
【図面の簡単な説明】
【０００７】
【図１】  本考案に係る椅子を示す正面図である。
【図２】  本考案に係る椅子を示す側面図である。
【図３】  本考案に係る椅子を構成するフレームのＡ−Ａ線断面図である。
【考案を実施するための形態】
【０００８】  以下、添付図面を参照して本考案の実施の形態を詳細に説明する。
本考案に係る椅子１は、図１ないし図３に示すように、人が着座する部分の全部を含めて特殊な曲面に一体成形されたフレーム２と、前記フレーム２の内側全面に、スポンジ等の緩衝材、シート用貼り地の順で固着され人が着座する座面を構成するシート３と、フレーム２の両側面全面（上側面から下側面）にわたって固定されている補強板４と、前記補強板４に固定されている脚５ａ，５ａ，５ｂ，５ｂとを備え、前側脚５ａ，５ａは図２に示すように垂直に配置され、後側脚５ｂ，５ｂは図２に示すように後側に大きく斜めにそ突出して配置されている。また、前記フレーム２及び前記シート３は、図３に示す断面図のような特殊な曲面に構成されていて、人が前記シート３の座面に着座したときに、頭部、背部、腰部、臀部、太股部の全部が前記シート３の座面の全体に全て接触しているような曲面形状に構成されたものである。
【０００９】  さらに説明すると、フレーム２は、ファイバーグラス・レインホースト・プラスチック（ＦＲＰ）で図１ないし図３に示すように一体的に構成されたものであって、図示縦方向の断面が図３に示すような特殊な曲面に構成されている。
このフレーム２の座面となる平曲面部分全部及び図示上から下まで、要は前記フレーム２の内側全体面にスポンジ等の緩衝材、シート用貼り地の順で固着することにより前記シート３を形成している。
補強板４は、一定の厚さの金属板で構成されていて、フレーム２を補強している。
脚５ａ，５ａ，５ｂ，５ｂは金属棒で構成されていて、図２に示すような形状に形成されている。
【実施例】
【００１０】  本実施例を実現させるために、各部の寸法について説明する。なお、この数値は本実施例を実現する場合の一例であって、これに限定されるものではない。
本実施例に係る椅子１において、フレーム２の幅は、図１に示すように、Ｗ１が５２０〔ｍｍ〕としている。
また、図２に示すように、座面前側の高さＨ１が３９０〔ｍｍ〕、座面後側の高さＨ２は３００〔ｍｍ〕としている。
フレーム２の頂部から床面までの高さＨ３は、図２に示すように、１０２０〔ｍｍ〕としている。脚５ａ、５ｂの間の距離Ｌ１は、図２に示すように、６２０〔ｍｍ〕としている。
さらに、フレーム２の上側の端から下側の端までの長さＬ２は、図２に示すように、９５０〔ｍｍ〕としている。
【符号の説明】
【００１１】１  椅子
２  プレート
３  シート
４  補強板
５ａ，５ａ  前側の脚
５ｂ，５ｂ  後側の脚
【図１】
0003169279.tif 000003
【図２】
0003169279.tif 000004
【図３】
0003169279.tif 000005
(57)【要約】      （修正有）【課題】グリルの排熱口の部分にもう一つの五徳を設置することにより、ガスコンロのグリルの排熱を利用できるようにした五徳を提供する。【解決手段】五徳は、グリルの排熱口がガスレンジ奥上部に長方形に開口している２口コンロを対象にしたもので、５ｍｍほどの太さの針金を折り曲げ加工し、足、脚、梁、爪部を構成させ、梁部３ａ、３ｂに格子状又は網状の台２を溶着させた構造とする。また、コンロの天板の奥の排熱部分に長方形に開口している部分に後足部に設けている爪の部分をコンロの天板の裏に挟み込み、上下に移動しないようにする。【選択図】図１
0003169280.tif 000002
【実用新案登録請求の範囲】
【請求項１】
格子状又網状の五徳はグリルの排熱口部分に取り付け、後部足部分には天板にはめ込む爪の部分を設け上下に動く事を防ぎ、足部分はコンロ部の形状の周囲に合わせた円形形状を持ち、前後、左右、上方向に簡単に動かない構造、又は取り付け金具等で天板に固定する事を特徴とした、グリル排熱利用着脱式五徳。
【考案の詳細な説明】
【技術分野】
【０００１】  本考案は、ガス器具上に調理器具の置き場を確保し、かつ省エネに関わる排熱利用の着脱式の五徳である。
【背景技術】
【０００２】  昨今省エネが求められる時代になり、エネルギーを効率的に利用するため、またガスコンロは調理器具を置く余分なスペースがなく、それを確保するために考案した器具である。
【考案の概要】
【考案が解決しようとする課題】本考案は、ガス器具の中央奥にあるグリルの排熱口からの排熱を利用し、調理器具を保温、加熱が出来る取り外し可能な五徳である。
【考案が解決使用とする課題】
【０００３】  本考案はグリル付き二口ガスコンロを想定した申請であるが、ビルトインコンロの場合形状は異なるが、発想は同じであり、排熱口の上にこの器具を設置しもう一つの五徳としての利用をするための器具である。
【考案の効果】
【０００４】  ガスコンロのグリルを使用時に発生する排熱を利用し、調理器具を加熱、保温することを目的とした五徳であり、通常時は調理器具置きとしてスペースを確保、利用できる五徳である。
【０００５】
【考案を実施するための最良の形態】
【０００６】図１にあるように、本体をガス器具の中央奥にある排熱口の部分に取り付け、五徳として利する。
【実施例】
【０００７】本体の躯体は、ステンレス又は他の金属製の４〜５ｍｍφの針金又は扁平状の針金からなり、折り曲げ加工し、ガスコンロの天板に接地する足部と３ｃｍほどの脚部と１５ｃｍほどの梁部、後部足部に天板を挟み込むための爪を設けた構造体に、梁部に格子状又は、網状又は同心円状の構造体を乗せた構造にする。【０００８】前足部１の形状はコンロの五徳の周囲の形状に合わせた形状を持ち、左右に移動しない様加工する。【０００９】後足部の爪部７ａ，７ｂ、後足部６ａ，６ｂは装着していない時には図２の点線で位置にあり、天板の排熱口の下方向に少し力を入れてはめ込む事により、前足部１と後足部６ａ，６ｂの接地面を天板に固定し又後足部６ａ，６ｂが上方向に戻る力を利用し天板に密着させ、また補助的にマグネット等で固定する。
【図面の簡単な説明】
【００１０】
【図１】本体を取り付けた状態の上から見た図
【図２】本体を天板に取り付けた側面図
【図３】本体の全体図
【符号の説明】
【００１１】１  本体の前足部
２  同心状の受け台
３ａ  左梁部
３ｂ  右梁部
４ａ  左前脚部
４ｂ  右前脚部
５ａ  左後脚部
５ｂ  右後脚部
６ａ  左後足部
６ｂ  右後足部
７ａ  左爪部
７ｂ  右爪部
８  ガスコンロの天板
９  排熱口
【図１】
0003169280.tif 000003
【図２】
0003169280.tif 000004
【図３】
0003169280.tif 000005
【手続補正書】
【提出日】平成23年5月6日(2011.5.6)
【手続補正１】
【補正対象書類名】実用新案登録請求の範囲
【補正対象項目名】全文
【補正方法】変更
【補正の内容】
【実用新案登録請求の範囲】
【請求項１】
本考案の五徳は、グリルの排熱口がガスレンジ奥上部に長方形に開口している２口コンロを対象にしたもので、５ｍｍほどの太さの針金を折り曲げ加工し、足、脚、梁、爪部を構成させ、梁部に格子状又は網状の台を溶着させた構造をし、コンロの天板の奥の排熱部分に長方形に開口している部分に後足部に設けている爪の部分をコンロの天板の裏に挟み込み、上下に移動しないようにしたのを特徴とするグリル排熱利用着脱式五徳。
(57)【要約】      （修正有）【課題】使用者が、タオルを掛けやすいようタオル掛け棒の間隔を調整できるようにしたスタンド型タオル掛けを提供する。【解決手段】方形の外枠を持つタオル掛けスタンドにおいて、方形枠内１ａ、２ａ、１ｂ、２ｂに架かるタオル掛けの棒３が前後にスライドするよう、タオル掛け棒が架かる左右外枠下部に、レール及びレール内を移動するランナー（車輪付稼動部）を設ける。タオル掛け棒両端がランナーに接続され、タオル掛け棒がレール部に吊られた状態を作ることで、外圧（タオル等の重み）に屈せず移動を可能にする。且つ、各タオル掛けの棒に掛かるタオル同士が接触しないよう、間隔を保持するための突起を各タオル掛け棒の側面に配置する。【選択図】図１
0003169277.tif 000002
【実用新案登録請求の範囲】
【請求項１】
方形の外枠を持つタオル掛けスタンドにおいて、方形枠内に架かるタオル掛けの棒が、前後水平に移動する機能を備え、且つ、各掛け棒に掛かるタオル同士が接触しないよう、間隔を保持するための突起を設けたものを特徴とするタオル掛け
【考案の詳細な説明】
【技術分野】
【０００１】本考案は、タオル等を掛けやすくするため、可動式の掛け棒を備えたスタンド型タオル掛けに関するものである
【背景技術】
【０００２】従来のタオル掛けは、生産者が設計し定めた間隔を維持、固定された掛け棒を有するものであり、コンパクト化、掛け棒の本数（掛け得るタオル枚数の確保）等の条件をクリアするため、各掛け棒の間隔が狭いものが大半であり、使用者はその固定された間隔に従うほかなく、タオル掛け行為に不便を感じていた
【考案の開示】
【考案が解決しようとする課題】
【０００３】タオル掛けの各掛け棒の間隔を広く設定した場合は、利用者の不便さを解消することが出来るが、反面、間隔が固定された掛け棒のために掛け棒の本数減少（掛け得るタオル枚数の減少）、又は、タオル掛け自体のコンパクトさの喪失につながる、これら双方ともに満足させることを課題とする
【課題を解決するための手段】
【０００４】使用者と平行に位置する掛け棒を水平に前後移動させるため、掛け棒両端が接続される外枠にはレール及び、ランナーを備え、掛け棒が吊られる状態にて可動を可能とする、及び、掛けたタオル等同士の接触を避けるため掛け棒に突起部を設け、隣の掛け棒、又は外枠と当てることで必要な隙間を確保する
【考案の効果】
【０００５】以上の課題を解決するために、タオル掛けスタンドのタオル掛け棒を非固定、前後水平移動を可能にすることを以って、利用者主導の掛け棒間隔調整によりタオル掛け時の不便さを解消できる、且つ、移動式掛け棒のため、コンパクト化、掛け棒の本数確保、に影響を与えない
【図面の簡単な説明】
【０００６】
【図１】当該考案の一実施例として、４本のタオル掛け棒を備えたタオル掛けの斜視図で、タオル掛け棒の移動による各掛け棒間隔の違いを示す
【図２】掛け棒と連結されるレール構造を持つ左右外枠の断面図を示し、掛け棒同士の最小間隔を確保するための突起をも示す
【図３】タオル掛け棒をすべて片側に寄せた状態を示す斜視図である
【符号の説明】
【０００７】１ａ  １ｂ  前後外枠            ６  ランナー（本体、車輪）
２ａ  ２ｂ  左右外枠            ７  掛け棒
３          タオル掛け棒        ８  取り付け具
４          カバー              ９  突起物
５          レール
【図１】
0003169277.tif 000003
【図２】
0003169277.tif 000004
【図３】
0003169277.tif 000005
【手続補正書】
【提出日】平成23年2月19日(2011.2.19)
【手続補正１】
【補正対象書類名】実用新案登録請求の範囲
【補正対象項目名】全文
【補正方法】変更
【補正の内容】
【実用新案登録請求の範囲】
【請求項１】
方形の外枠を持つタオル掛けスタンドにおいて、方形枠内に架かるタオル掛けの棒が前後にスライドするよう、タオル掛け棒が架かる左右外枠下部に、レール及びレール内を移動するランナー（車輪付稼動部）を備え、タオル掛け棒両端がランナーに接続され、タオル掛け棒がレール部に吊られた状態を作ることで、外圧（タオル等の重み）に屈せず移動を可能にした構造を特徴とするものであり、且つ、各タオル掛けの棒に掛かるタオル同士が接触しないよう、間隔を保持するための突起を各タオル掛け棒の側面に配置したものを特徴とする。
【手続補正書】
【提出日】平成23年4月30日(2011.4.30)
【手続補正１】
【補正対象書類名】実用新案登録請求の範囲
【補正対象項目名】全文
【補正方法】変更
【補正の内容】
【実用新案登録請求の範囲】
【請求項１】
方形の外枠を持つタオル掛けスタンドにおいて、方形枠内に架かるタオル掛けの棒が前後にスライドするよう、タオル掛け棒が架かる左右外枠下部に、レール及びレール内を移動する車輪付稼動部を備え、タオル掛け棒の両端が車輪付稼動部に接続され、レール部に吊られた状態を作ることで、タオル等の重みに屈せず移動を可能にした構造を特徴とするものであり、且つ、各タオル掛けの棒に掛かるタオル同士が接触しないよう、間隔を保持するための突起を各タオル掛け棒の側面に配置したことを特徴とするスタンド型タオル掛け。
(57)【要約】      （修正有）【課題】ヒートエリア（暖房面積）を、細かに分け、生活・人数の変化により、ヒートエリアを選び、消費電力を抑えることができる電気カーペットを提供する。【解決手段】電気カーペットの暖房面積をＸ軸方向、Ｙ軸方向において適宜、それぞれ細分化し、その細分化した暖房面積毎に別々に入切可能なヒーターを敷き込む。この構成により、人がいないエリアでは、該当部分のヒーターをオフすることで、無駄な電気の消費をなくすことができる。【選択図】図２
0003169282.tif 000002
【実用新案登録請求の範囲】
【請求項１】
従来の電気カーペット等の暖房面積（ヒートエリア）を細かに分け、人のいないエリアは電気を消せ、必要のない電気代を抑えることができる、電気カーペット等。
【考案の詳細な説明】
【技術分野】
【００１】  この考案は、電気カーペット等の従来の１方向（Ｘ軸）のヒートエリアを、２方向（Ｘ，Ｙ軸）に小分けする物である。
【背景技術】
【００２】  従来、電気カーペット等は、ヒートエリアは、１方向（Ｘ軸）だけであった。
【考案の開示】
【考案が解決しようとする課題】
【００３】  これは、このような問題点があった。
人が少ない場合、人がいないエリアでも、無駄な電気がかかっていた。本考案は、以上のような、欠点を無くすためになされたものである。
【考案を解決するための手段】
【００４】  ヒートエリアを、２方向（Ｘ，Ｙ軸）に細かに分けることにした。
【考案の効果】
【００５】  この結果、人がいないエリアなどは、細かに電気が消せて、省エネになります。（一人でいる時は、特に感じます。）
【考案を実施するための最良の形態】
【００６】  以上、本考案の実施例について説明いたします。
ヒートエリアを、２方向（Ｘ，Ｙ軸）に分けて、人がいないところは、電気を消し、無駄な電気を、使わないように出来る物とする。
【図面の簡単な説明】
【００７】
【図１】  従来の、平面図と、本考案の平面図である（１〜１．５畳相当）
【図２】  従来の、平面図と、本考案の平面図である（２．０畳相当）
【図３】  従来の、平面図と、本考案の平面図である（３．０畳相当）
【符号の説明】
【００８】  １    温度コントローラー
Ａ〜Ｉ  温度ゾーンエリア
【図１】
0003169282.tif 000003
【図２】
0003169282.tif 000004
【図３】
0003169282.tif 000005
【手続補正書】
【提出日】平成23年5月9日(2011.5.9)
【手続補正１】
【補正対象書類名】実用新案登録請求の範囲
【補正対象項目名】全文
【補正方法】変更
【補正の内容】
【実用新案登録請求の範囲】
【請求項１】
電気カーペットの暖房面積（ヒートエリア）を細かに分け、
その細かに分けた、ヒートエリアの範囲内にヒータ−を敷き込み
必要のない電気代を抑えることが出来る電気カーペット。
【手続補正３】
【補正対象書類名】明細書
【補正対象項目名】００８
【補正方法】変更
【補正の内容】
【００８】１  温度コントローラー
Ａ〜Ｉ  ヒーターを敷き込んだ温度ゾーンエリア
【手続補正４】
【補正対象書類名】図面
【補正対象項目名】全図
【補正方法】変更
【補正の内容】
【図１】
0003169282.tif 000006
【図２】
0003169282.tif 000007
【図３】
0003169282.tif 000008
(57)【要約】      （修正有）【課題】クーリングタワーの充填材の目詰りを防止するトレーを提供する。【構成】厚さ０．４ｍｍのステンレス板から作られ、縦１２０ｍｍ、横７００ｍｍであって、高さが前１０ｍｍ、両横２０ｍｍ、後５ｍｍと異なっているトレーの底の手前側に１５ｍｍ間隔で直径２ｍｍの穴を開ける。【選択図】図１
0003169289.tif 000002
【実用新案登録請求の範囲】
【請求項１】
イ  厚さ０．４ｍｍのステンレス板で、縦１２０ｍｍ×横７００ｍｍ×高さ（前１０ｍｍ・両横２０ｍｍ・後５ｍｍ）の変則的なトレーを作る。［図１］参照
ロ  前面に１５ｍｍ間隔で直径２ｍｍの穴を開ける。
【考案の詳細な説明】
【考案の詳細な説明】
これは、クーリングタワー（充填材）の目詰まりを防止するための考案である。工場で使用しているクーリングタワーの循環水には、「スケール防止剤」や「スライム防止剤」が入っているため充填材も汚れないと錯覚を起こすが、定期的に清掃を行わないとクーリングタワーは外気を利用して冷却するため、充填材の外側のフィンに埃や水アカが付着（［写真］参照）して冷却効果が落ち、エネルギーの使用も徐々に増える。
本案はそれを防止するために考案されたもので、上記の如く作られたトレーを既設のクーリングタワーの上段・中段の充填材の上に並べて循環水を受け、それを前面の穴から流す目的で使用する。
クーリングタワーには充填材を入れるための枠があり、その枠が邪魔をして充填材の一番外側に水が流れないため汚れが付着しやすい。
そこで一旦枠から流れ落ちる水を受けて、前の穴から一番外側に流すようにすることで空気中の埃やゴミが付着しないようになる。
結果として
・１０年周期で取替えが必要だった充填材が長く使用出来るようになる。
・工場（クーリングタワー）での無駄なエネルギー使用が減る。
・清掃作業労力が軽減される。
など、設備維持費を減らすことができ、資源節約・温暖化防止に役立ち、全ての工場のエコ活動に役立つ。
【図面の簡単な説明】
【図１】▲１▼は本考案（トレー）の斜めから見た投影図  ▲２▼はトレーの正面・上面・側面から見た投影図
【写真１】
クーリングタワーの充填材にスケールが付きかけた普段見られる状態。
【写真２】
充填材が閉塞しかけた状態。
【図１】
0003169289.tif 000003
【手続補正書】
【提出日】平成23年5月2日(2011.5.2)
【手続補正１】
【補正対象書類名】実用新案登録請求の範囲
【補正対象項目名】全文
【補正方法】変更
【補正の内容】
【実用新案登録請求の範囲】
【請求項１】
厚さ０．４ｍｍのステンレス板で、縦１２０ｍｍ×横７００ｍｍ×高さ前１０ｍｍ・両横２０ｍｍ・後５ｍｍの高さの異なる直方体のトレーの底の手前側に１５ｍｍ間隔で直径２ｍｍの穴を開けたことを特徴とするクーリングタワー目詰まり防止対策トレー。
(57)【要約】      （修正有）【課題】短時間で車のガラスの凍結の解除をする車のガラスの氷取りを提供する。【解決手段】プラスチックの板で、ガラスの氷を削る。柄に中間部品を取り付けたので、どんな車にでも使える。素材をプラスチックにしたことで、安い価格で作れることと、朝の貴重な時間を無駄なく短時間で、ガラスの氷を取り除くことができる。また、柄の部分の長さが変わることにより、どんな車にでも使える。【選択図】図１
0003169286.tif 000002
【実用新案登録請求の範囲】
【請求項１】
車のガラスの凍結した氷を、プラスチックの板で、削り取ることを特徴とする車のガラスの氷取りです。柄に中間部品を取付け、どんな車にも対応できるようにしたことを特徴とする。
【考案の詳細な説明】
【技術分野】
【０００１】  この考案は、車のガラスの凍結に関するものです。
【背景技術】
【０００２】  車のガラスの凍結した氷を取り除くために、プラスチックの板で、ガラスの表面に付いた氷を削る。
【考案の開示】
【考案の概要】
【考案が解決しようとする課題】
【０００３】  車のガラスの凍結した氷を取り除くために、お湯をフロントガラスなどにかけていました。しかし、それではまたすぐ凍ってしまい、前が見えなくなってしまいます。毎日車にカバーをするのも大変です。
そこで、図１のようなものを使い、フロントガラスや、他のガラスの氷を取り除くのです。この考案は、短時間で車のガラスの凍結の解除をすることを課題とする。
【課題を解決するための手段】
【０００４】  以上の課題を解決するために、第一考案は、ガラスが傷つかないように、プラスチックを使用し、またいろんな車に使えるように柄の部分の長さが自由に変えられることを特徴とする。
【考案の効果】
【０００５】  第一考案によれば、素材をプラスチックにしたことで、安い価格で作れることと、朝の貴重な時間を無駄なく短時間で、ガラスの氷を取り除くことができること。また、柄の部分の長さが変わることにより、どんな車にでも使えること。
【図面の簡単な説明】
【０００６】
【図１】この考案の一実施形態を示す斜視図である。
【図２】この考案の側面図です。
【考案を実施するための形態】
【０００７】  この考案の一実施形態を図１に示す。
５のようにプラスチックの端を丸くした台形の板１で、下に行くほど細くなり、チリトリに良く似ています。硬さも同じくらいです。幅が１５センチぐらいで、長さは２０センチぐらいの台形の板の真ん中より少し先のところに、幅８センチの少し厚手の「く」の字に曲がった押さえ２を取付け、台形の板の下の部分とつながっています。そこから柄３を取り付けます。なぜなら、板を強い力で抑えないと、氷が削れないからです。図２のように、台形の上の部分は、カミソリみたいに少しだけ斜めに削ってあります。柄が自由に伸び縮みするように、のぼりのポールみたいに、中間部品４をつけています。
【実施形態の効果】
【０００８】  この実施形態によれば、ガラスにあたる部分の氷が、プラスチックの先で、簡単に削り取られます。
図１の５のように板の端をを丸くしてあるので、ガラスの取付け部分が傷つきません。何回でも壊れるまで、長く使えます。プラスチック製なので軽くて小さいので、車に積んでいても場所を取りません。
【符号の説明】
【０００９】  １  プラスチックの板
２  押さえの板
３  柄
４  中間部品
５  板の丸み
【図１】
0003169286.tif 000003
【図２】
0003169286.tif 000004
【手続補正書】
【提出日】平成23年4月22日(2011.4.22)
【手続補正１】
【補正対象書類名】実用新案登録請求の範囲
【補正対象項目名】全文
【補正方法】変更
【補正の内容】
【実用新案登録請求の範囲】
【請求項１】
柄と柄の先端に固着した台形状のプラスチック板と、柄の先端から伸びて上記のプラスチック板の上面を支える抑えとから成り、上記プラスチック板は台形の天辺を柄に固着するとともに台形の底辺の両端に丸みをつけて刃先としたことを特徴とする車の窓ガラスに凍結した氷を取り除く氷取り。
(57)【要約】      （修正有）【課題】裏面に配したニクロム線に通電して冬季の着霜を防止するようにしたカーブミラーを提供する。【解決手段】太陽電池をカーブミラー上部に設置し、ミラー裏面にニクロム線を配線して、夜間に通電してニクロム線の発熱によりミラーへの着霜防止を図るようにしてカーブミラーを形成する。【選択図】図３
0003169283.tif 000002
【実用新案登録請求の範囲】
【請求項１】
カーブミラーの着霜防止をニクロム線の配線に夜間通電して行う。
【請求項２】
カーブミラーの外枠の金属に通電して着霜を防ぐ。
【請求項３】
着霜防止用の電源を太陽電池を使って確保する。
【考案の詳細な説明】
【考案の概要】
［１］カーブミラーの裏面にニクロム線を配置して夜間の通電により着霜を防ぐ。［２］カーブミラーの外周の金属に通電して着霜を防止する。［３］通電用の電源に太陽電池を使用する。
【考案が解決しようとする課題】
【０００１】  寒冷地のカーブミラーは冬季になるとミラー面に霜がつき、太陽の方向を向いているものは日が出れば早く溶けるが、反対方向を向いているものはなかなか霜が消えず、事故につながることがある、事故にならなくても、怖い思いをすることがあり、回りの人からも怖かった体験を耳にしている。
【０００２】  そこで何とか解決方法が無い物かと考えた結果思い付いたのが、自動車の後部ガラスの霜取り装置である、ミラーの裏面にニロム線を設置してこれに電気をとうして霜を消す方法である、  ところが普通の電気では、近くに電気が来ていないと駄目だと考えた、そこで近ごろ使わている、庭園用のソーラー電気を思いついた。
【０００３】  小型ソーラーを使って、昼間電気をつくり、夜間電気を流すことにより着霜を防ぐ方法である。ミラーの外面に使われている金属に通電することによって着霜を防ぐことも出来る。
【考案の効果】
［１］ミラー面の着霜の防止。［２］交通事故の防止。
【図面の簡単な説明】
【０００４】
【図１】カーブミラーの着霜状況の写真。
【図２】カーブミラーの時間経過後の着霜状況の写真。
【図３】ニクロム線を配置し、太陽電池を設置した図。
【図４】太陽電池を設置し、ミラー外金属に通電する図。
【符号の説明】
【０００５】１  太陽電池（ソーラー）２  ニクロム線３  夜間通電装置４  通電コード５  金属外枠
【図１】
0003169283.tif 000003
【図２】
0003169283.tif 000004
【図３】
0003169283.tif 000005
【図４】
0003169283.tif 000006
【手続補正書】
【提出日】平成23年4月28日(2011.4.28)
【手続補正１】
【補正対象書類名】実用新案登録請求の範囲
【補正対象項目名】全文
【補正方法】変更
【補正の内容】
【実用新案登録請求の範囲】
【請求項１】
太陽電池をカーブミラー上部に設置しミラー裏面にニクロム線を配線し夜間通電発熱による着霜防止システムのカーブミラー。
【手続補正３】
【補正対象書類名】明細書
【補正対象項目名】０００２
【補正方法】変更
【補正の内容】
【０００２】解決の方法がないものかと考えた結果思い付いたのが、自動車の後部ガラスの霜取り装置である。ミラーの裏面にニクロム線を配置して、これに夜間通電して発熱させ着霜を防止する方法である、ところが普通の電気では、近くに電気が来ていないと駄目だと考えた、そこで近ごろ使われている庭園用の太陽電池の電気を思いついた。
小型太陽電池を設置し、昼間電気をつくり、夜間ニクロム線に通電することにより着霜を防止する。
【手続補正４】
【補正対象書類名】明細書
【補正対象項目名】０００４
【補正方法】変更
【補正の内容】
【０００４】
【図１】カーブミラーの着霜状況の写真。
【図２】カーブミラーの時間経過後の着霜状況の写真。
【図３】太陽電池をカーブミラー上部に設置しミラー裏面にニクロム線を配線し夜間通電発熱による着霜防止システムのカーブミラー。
【図４】太陽電池を設置し、ミラー外金属に通電する図。
【手続補正５】
【補正対象書類名】明細書
【補正対象項目名】０００５
【補正方法】変更
【補正の内容】
【０００５】［１］太陽電池。
［２］夜間通電装置。
［３］ミラー外枠
［４］ニクロム線の配線
［５］ミラー裏面
［６］通電コード
【手続補正６】
【補正対象書類名】図面
【補正対象項目名】図３
【補正方法】変更
【補正の内容】
【図３】
0003169283.tif 000007
(57)【要約】      （修正有）【課題】天然温泉に家族でも温泉地と同じように、衛生的に入浴できるようにした家庭用天然温泉掛け流しシステムを提供する。【解決手段】タンクローリーからの供給口２と電気ヒーター３を備えた温泉タンク１と、前記温泉タンクからの温泉を蛇口７に供給する揚湯ポンプ８とから、家庭用天然温泉掛け流しシステムを形成する。さらに、前記電気ヒーターによってタンク内の温泉温度を、６０度以上に保つ。入浴する場合は、脱衣場等に設置されたスイッチ６を入れる事により、温泉タンク１から温泉を浴槽取付け蛇口７より供給する。適度に温泉と水を混合して使用する。浴槽内の温度は、蛇口７から温泉を補給し、冷めない様に少量を掛け流して温度を維持する。【選択図】図２
0003169288.tif 000002
【実用新案登録請求の範囲】
【請求項１】
天然温泉を自宅にて温泉場と同様に使用し湯治が出来る事を特徴とする。（家庭用天然温泉掛け流しシステム装置）です。
【請求項２】
レジオネラ菌対策もなされている。
【考案の詳細な説明】
【技術分野】
【０００１】  本発明は、天然温泉を家庭のお風呂でも温泉地と同じように入浴出来る様にする（家庭用天然温泉掛け流しシステム装置）に関する。
【背景技術】
【０００２】  温泉の効用は全国の温泉場にて太古より、実証されています。老齢人口の増加が叫ばれる昨今、温泉に入りたくても体調の具合により温泉場にいけない人、老後の生活は温泉の供給が受けられる所でと考えている方は少なく有りません。
現在タンクリーにて温泉施設や家庭に天然温泉を運んでおりますが、一般家庭の場合はホース等により温泉タンクを経由して入れる場合と直接浴槽に入れる方法が有りますが、圧倒的に直接入れる方法が多いのです。
しかしながら、従来の方法ですとタンク経由や直接入れる方法共に浴槽で循環加熱し同じ温泉を何日も使用するという欠点が有り、衛生的にもレジオネラ菌の発生の恐れも禁じえません。
【先行技術文献】
【特許文献】
【０００３】
【特許文献１】
【非特許文献】
【０００４】
【非特許文献１】  平成１１年１１月２６日付生衛発第１６７９号厚生省生活衛生局長通知
【考案の概要】
【考案が解決しようとする課題】
【０００５】本考案は、以上のような従来の欠点に鑑み、各個人の体調に合わせ自宅にて、いつでも天然温泉の効能を十分に発揮した温泉療法が可能になる事を提供する事を目的としている。
温泉タンクの保温性を良くするため５０ｍｍ保温以上の温泉タンクを使用しエネルギーの節約も計ります。
タンク内温度を６０度以上に保つためレジオネラ菌の発生も皆無に近く老齢者の方にも安心です。
【課題を解決するための手段】
【０００６】上記目的を達成するために、本発明は、（［請求項１］の構成要件）とで（発明の名称）を構成している。
【考案の効果】
【０００７】上述の様に、本考案にあっては自宅で温泉場同等の湯治ができる。したがって、温泉で健康を得る事ができる。又、レジオネラ菌対策ができる。
【図面の簡単な説明】
【０００８】
【図１】  本考案を実施するための最良な全体の系統図である。
【図２】  本考案を実施するための具体的な装置の平面図である。
【考案を実施するための形態】
【０００９】  タンクローリーで運搬された天然温泉を個人宅に設置した容量１，０００リットル、保温厚５０ｍｍの温泉タンクに貯め、その温泉を常に６０度以上に保つ。入浴する場合は脱衣場等に設置されたスイッチを入れる事により、温泉タンクから温泉が浴槽取り付け蛇口より出る様になります。適度に温泉と水を混合し（少量の温泉で時間をかけて冷ましながら適温にする事も出来る）使用し浴槽内温度は蛇口から温泉を補給し、冷めない様少量を掛け流しして、温度を維持し、入浴します。温泉場の湯治と同様な状態を醸し出す事が出来る装置を取り付ける物である。
以下、本発明の実施の形態を図に基づいて説明する。
【実施例】
【００１０】図１は、本考案装置の実施例１の系統図であって、タンクローリーで運搬された天然温泉を個人宅に設置した容量１，０００リットル、保温厚５０ｍｍの温泉タンクに貯め、その温泉を効率良く使用し、温泉場の湯治と同様な状態を維持する事が出来る装置を取り付ける物である。【００１１】図２は、本考案装置の実施例１の平面図であって、▲１▼はタンクローリーより運ばれた天然温泉を貯めておきます。容量は１、０００リットル保温厚５０ミリのＦＲＰ製です。（給湯タンクの主流は２５ｍｍ保温）
容量を１，０００リットル以上にこだわったのも１週間に１回程度の運搬で済むように考えました。▲２▼タンクローリーよりの供給口です。▲３▼は温泉温度を昇温する為の電気ヒーターです（他の昇温器でも可能）。▲４▼の温度感知センサー（サーミスター）にて▲５▼の温度調節器により常に温泉タンク内を６０度に保ちます。
入浴前に▲６▼の脱衣室のスイッチをＯＮにします、すると▲８▼の揚湯ポンプが運転されます。▲８▼の揚湯ポンプは温泉を浴室の▲７▼蛇口より浴槽▲９▼に適度に入れ適温に温度も定め（水と混合する場合もある）入浴する。入浴中は▲７▼蛇口の開閉により常に適温に保つ。▲７▼の蛇口を全閉にしても▲１０▼の還り管が有るため▲８▼のポンプが全閉に成る事もなく蛇口を開けばすぐにタンク内温泉と同じ温度の天然温泉が出てきます。浴槽使用後は▲６▼のスイッチをＯＦＦにして▲８▼の揚湯ポンプを停止する。▲１１▼は水位計で温泉タンク内の水位が下がった時は▲３▼の電気ヒーターと▲８▼の揚湯ポンプを停止する。
【符号の説明】
【００１２】▲１▼容量１，０００リットル、保温厚５０ｍｍの温泉タンク
▲２▼タンクローリーよりの供給口
▲３▼電気ヒーター
▲４▼温度感知センサー
▲５▼温度調節器
▲６▼脱衣室のスイッチ
▲７▼蛇口
▲８▼揚湯ポンプ
▲９▼浴槽
▲１０▼還り管
▲１１▼水位計
【図１】
0003169288.tif 000003
【図２】
0003169288.tif 000004
【手続補正書】
【提出日】平成23年4月28日(2011.4.28)
【手続補正１】
【補正対象書類名】実用新案登録請求の範囲
【補正対象項目名】全文
【補正方法】変更
【補正の内容】
【実用新案登録請求の範囲】
【請求項１】
タンクローリーからの供給口と電気ヒーターを備えた温泉タンクと、前記、温泉タンクからの温泉を蛇口に供給する揚湯ポンプとからなる、家庭用天然温泉掛け流しシステムであって、前記電気ヒーターによってタンク内の温泉温度を、６０度以上に保つ事を特徴とする前記、家庭用天然温泉掛け流しシステム
(57)【要約】      （修正有）【課題】介護を必要とする人であっても、入浴が可能なお風呂を提供する。【解決手段】円形の回転台４及び当該回転台の周囲に沿って設けられた円形の浴槽仕切りを有し、前記浴槽仕切りは折りたたみ可能な形状記憶ビニール類、もしくは形状記憶耐水繊維類を加工し、ポンプによる空気の加圧、負圧により元の床面に正しく収納されるものであって、円形の浴槽仕切り５の上げ下げによって高さの調整ができる。【選択図】図−２
0003169294.tif 000002
【実用新案登録請求の範囲】
【請求項１】
ユニットバス中央部分に回転台４を設け、その回転台に車椅子ごと乗り入れ円形の浴槽５を空気圧上昇させ、貯湯器２から給湯し、入浴するものである。
【請求項２】
回転台４の所定の位置に車椅子９がセットされると、回転台が床下に組み込まれたギア１１によって緩やかに手動又は自動回転できるものである。
【請求項３】
円形の浴槽の仕切り５は、折りたたみ可能な厚型ビニール類もしくは耐水繊維類を加工し、ポンプによる空気の加圧、負圧の順序で、元の床面に正しく収納されるものである。又高齢者だけに供する浴槽ではなく、仕切り５の上げ下げによって湯量を調節できるものであり、一般家庭風呂としても使用できるものである。
【請求項４】
現況のユニットバスの１２１６型（１２００ｍ×１６００ｍｍ）や１６１６型（１６００ｍｍ×１６００ｍｍ）のスペースに十分に対応する為の考案であり、介護を要する一般家庭やマンションでの改修工事が容易である。
【請求項５】
ユニットバスそのものはバリアーフリーであり、夏場などはシャワー浴だけの場合でも使用出来ます。入り口正面から進入し、シャワー後、回転台４で１８０度回転し退出します。又回転台４は取り外し式となっており、湯垢などの清掃も隅々まで可能である。
【請求項６】
給湯については、電気及びガス温水器（貯湯型）２とし大口カランの仕様。排水口に於いてもバリアーフリーを考慮し四隅及び回転台下端に排水口８を設置し有事の際は押しボタン式の一発排水も行う。
【考案の詳細な説明】
【技術分野】
【０００１】本考案は、これからの介護を必要とする人口増加に伴い、人間の生きる喜びを感じながら入浴できる、入浴装置″お風呂は明日に繋がる生きる源″に関する。
【背景技術】
【０００２】従来、病院および一般家庭ではリフト及び巡回介護などによる週２・３回程度の入浴であった。
【考案の概要】
【考案が解決しようとする課題】
【０００３】従来から入浴は、人間が生きていると言う″証″でもあった。その行為を自らすすんで行う事に於いて、すがすがしく生きる喜びを出来るだけ長く維持するものである。
【課題を解決するための手段】
【０００４】上記目的を達成するための説明書・・・１−リフトなどの機械浴に頼らずごく自然に入浴でき、家族などの煩わしさを解消できる。２−一般家庭やマンション等でも改修工事が容易であり、これからの介護を要する人口増加に対応できる。
【考案の効果】
【０００５】本考案は長年に及ぶ入浴介護の方法に於いて、機械入浴は勿論のこと、複数による入浴時の介護が必要であった。その作業を一人介護又は自らでの入浴を可能にするための考案である。
【図面の簡単な説明】
【０００６】
【図−１】本考案を実施するための平面図である。
0003169294.tif 000003
【考案を実施するための形態】
【０００７】本考案の実施の形態を図に基づいて説明する。
【実施例】
【０００８】図−１は本考案に関わる、″お風呂は明日に繋がる生きる源″の概略図である。″お風呂は明日に繋がる生きる源″はバリアーフリーである出入り口から、ユニットバスに車椅子ごと入り中央部分の回転台に乗り、ボタン操作により円形の浴槽を空気上昇させ、貯湯器から給湯し入浴するものである。又退出時は負圧ボタンを押し円形浴槽を下降させてそれと同時に排水されるもの。
【産業上の利用可能性】
【０００９】本考案″お風呂は明日に繋がる生きる源″はユニットバスを製造する産業で利用される。
【符号の説明】
【００１０】４−回転台・・・浴槽内で手動、もしくは電動で回転する台５−円形浴槽・・３箇所から空気を送り込み浴槽とするもの９−浴室用車椅子・・・浴室内で使用する簡易車椅子（プラスチック製）
【図−１】
0003169294.tif 000004
【図−２】
0003169294.tif 000005
【手続補正書】
【提出日】平成23年4月28日(2011.4.28)
【手続補正１】
【補正対象書類名】実用新案登録請求の範囲
【補正対象項目名】全文
【補正方法】変更
【補正の内容】
【実用新案登録請求の範囲】
【請求項１】
円形の回転台４及び当該回転台の周囲に沿って設けられた円形の浴槽仕切り５を有し、前記浴槽仕切りは折りたたみ可能な形状記憶ビニール類、もしくは形状記憶耐水繊維類を加工し、ポンプによる空気の加圧、負圧により元の床面に正しく収納されるものであって、円形の浴槽仕切り５の上げ下げによって高さの調整のできることを特徴とする家族のお風呂。
【請求項２】
前記、円形の回転台４の床下に回転用ギアを設けた事を特徴とする請求項１に記載した家族のお風呂。
【手続補正２】
【補正対象書類名】明細書
【補正対象項目名】０００６
【補正方法】変更
【補正の内容】
【０００６】
【図１】本考案を実施するための平面図である。
【図２】本考案を実施するための断面図である。
【手続補正４】
【補正対象書類名】明細書
【補正対象項目名】００１０
【補正方法】変更
【補正の内容】
【００１０】  １、暖房機
２、貯湯器（５５０リットル）
３、介護用手摺
４、円形の回転台
５、円形の浴槽仕切り
６、エアー配管
７、エアー送気口
８、排水溝
９、浴室用車椅子
１０、シャワー
１１、回転用ギア
１２、カラン
【手続補正５】
【補正対象書類名】明細書
【補正対象項目名】０００８
【補正方法】変更
【補正の内容】
【０００８】図−１は本考案に関わる、家族のお風呂の概略図である。
″家族のお風呂″はユニットバスの床、中央部分に回転台を設けその回転台に、車椅子ごと乗り入れ円形の浴槽を空気圧上昇させ、給湯し入浴するものであり、高齢者や身体障害者だけに供する浴槽ではなく、浴槽の上げ下げによって湯量を調整し一般家庭風呂としても使用できるものであって、現況のユニットバス１２１６（１２００ｍｍ×１６００ｍｍ）・１６２０（１６００ｍｍ×２０００ｍｍ）のスペースにも十分対応でき、介護を要する病院および一般家庭やマンションの改修工事が容易である。
又夏場などでのシャワー浴の場合でも使用でき、入口正面から進入しシャワー後回転台で１８０度回転し退出します。
回転台は取り外し式となっており、湯垢などの清掃にも隅々まで可能である。
給湯に於いては電気及びガス給湯機（貯湯型）とし大口カラン仕様、排水口に関してはバリアーフリーを考慮し四隅及び回転台下端に排水溝を設置し、有事の際は押し釦式一発排水も行うものである。
【手続補正６】
【補正対象書類名】明細書
【補正対象項目名】０００９
【補正方法】変更
【補正の内容】
【０００９】本考案家族のお風呂は、老人ホーム・一般家庭風呂・介護施設・旅館・ホテル・病院・スポーツ施設等で利用される。
(57)【要約】      （修正有）【課題】上衣の脱衣時に、上衣を小荷物として収納する機能を有するようにしたパッカブルなジャケットを提供する。【解決手段】上衣の裏部分に、ジャケットが収納できるような大きさで、自由な形の左右対称形をデザインし、ファスナーの上止・下止も、左右対称にして、ファスナーのテープ布部分を裏地または裏見頃に縫い付け、それぞれのファスナーを合わせて閉じることで、合体した左右が、袋を形成し、その中に収納することができる。【選択図】図１
0003169293.tif 000002
【実用新案登録請求の範囲】
【請求項１】
上衣の裏部分に、一対のファスナーの上耳と下耳を別々にした状態で左右対称に取り付けて、そのファスナーを閉じて合体させ、その中に収納することを可能にした上衣。
【考案の詳細な説明】
【技術分野】
【０００１】  本考案は、脱衣時に小荷物として持ち運んだり、上衣として着用したりできる上衣に関するものである。
【背景技術】
【０００２】  従来の上衣は、脱衣時の持ち運びに、そのまま持ち運ぶか、別のバッグに入れたりしなければならない。
【考案の概要】
【考案が解決しようとする課題】
【０００３】  上着を脱衣時に、バッグがなくても収納でき、簡単に持ち運ぶことのできる機能を作り出すことを目的とする。
【課題を解決するための手段】
【０００４】  本考案は、上衣の裏部分を利用し、一対のファスナーを開けて上耳下耳を２つに分けた状態で、それぞれのファスナーのテープ布部分を、上衣の裏部分に左右対称の形で取り付け、その状態で着用し、脱衣時には、ファスナーを留め、左右対称の部分で袋を作り、その中に収納することで、課題を解決している。
【考案の効果】
【０００５】  気温の寒暖差のある時、雨上がりの時、または運動時等の脱衣時に、簡単に、小荷物にすることで、利便性が増し、通勤時・スポーツ・レジャーなど広い範囲で、より快適なスタイルが可能になる。
【図面の簡単な説明】
【０００６】
【図１】パッカブル  ジャケットの裏外観
【図２】パッカブル  ジャケットの表外観
【図３】ファスナーを３辺閉じた収納途中の状態
【図４】ファスナーを完全に閉じて小荷物にした状態
【考案の実施するための形態】
【０００７】  上衣の裏部分に、ジャケットが収納できるような大きさで、自由な形の左右対称形をデザインし、ファスナーの上止・下止も、左右対称にして、ファスナーのテープ布部分を裏地または裏見頃に縫い付け、それぞれのファスナーを合わせて閉じることで、合体した左右が、袋を形成し、その中に収納することができる。
【実施例】
【０００８】  以下、添付図面に従って実施例を説明する。図１のように、脇ポケット裏が収納バッグの表地となり、形状が左右対称であれば、バッグそのものの位置や形や大きさも自由に変えることができる。【０００９】  裏地無し仕様だと、図２の様に、デザインとして表地に縫い線を見せることもでき、裏地付き仕様にすると、表地に縫い線を見せないようすることも可能である。【００１０】  図３のように、ファスナーの蝶棒を片側のファスナー箱に差し込んで、まずは３辺のファスナーを留めて袋を作り、その中に上衣を収納し、最後にもう一辺のファスナーを閉じることで４辺が閉じられて完全収納することができる。【００１１】  図４のように、バッグになった状態の表側は、ベルトにつけたり、小ポケットを付けたり、引き手をつけて持ちやすくしたり、自由なデザインが可能である。
【産業上の利用可能性】
【００１２】  本考案は、パンツを含めて、すべてのアウターに利用可能で、バッグとしての大きさや機能拡大も含めて、通勤やスポーツやカジュアルライフなど、多様なウェアに、より快適な利便性を提供できる可能性を有している。
【図１】
0003169293.tif 000003
【図２】
0003169293.tif 000004
【図３】
0003169293.tif 000005
【図４】
0003169293.tif 000006
【手続補正書】
【提出日】平成23年4月27日(2011.4.27)
【手続補正１】
【補正対象書類名】実用新案登録請求の範囲
【補正対象項目名】全文
【補正方法】変更
【補正の内容】
【実用新案登録請求の範囲】
【請求項１】
上衣の裏部分に、一対のファスナーの上耳と下耳を別々にした状態で、左右対称となる位置に、輪状に取り付けて、そのファスナーを閉じて合体させ、その中に収納することを可能にした上衣。